(57)【要約】【課題】  装置本体の小型化及び低コスト化を図ることが可能であり、更に、画像形成位置と紙片貼付位置とを近接させて貼付後の紙片の脱落を防止することができるインクジェット記録装置の提供。【解決手段】  インクジェット記録装置１は、インクジェット式の吐出ヘッド２０と、被記録紙Ｐへの画像の記録時に吐出ヘッド２０を走査方向へ移動させるヘッド駆動部３６と、被記録紙Ｐに対して走査方向の端部からはみ出すように紙片５３を貼り付ける貼付部５０とを備え、吐出ヘッド２０は、走査方向に沿った被記録紙Ｐの外方位置にて紙片５３に画像を記録するよう構成されている。【選択図】  図３
2008246935.tif 000002
【特許請求の範囲】
【請求項１】
被記録紙へインクを吐出するインクジェット式の吐出ヘッドと、前記被記録紙を所定の搬送方向に搬送する搬送部と、前記被記録紙への画像の記録時に前記吐出ヘッドを前記被記録紙の前記搬送方向に直交する走査方向へ移動させるヘッド駆動部と、前記被記録紙に対して前記走査方向の端部からはみ出すように紙片を貼り付ける貼付部と、前記吐出ヘッド、前記搬送部、前記ヘッド駆動部及び前記貼付部を制御する制御部とを備え、前記吐出ヘッドは、前記走査方向に沿った前記被記録紙の外方位置にて前記紙片に画像を記録するよう構成されていることを特徴とするインクジェット記録装置。
【請求項２】
前記貼付部は、前記吐出ヘッドから吐出するインクによって画像形成可能な領域内に配設されていることを特徴とする請求項１に記載のインクジェット記録装置。
【請求項３】
前記吐出ヘッドは、前記貼付部によって前記被記録紙に貼り付けられた状態の前記紙片に対して画像を記録するよう構成されていることを特徴とする請求項１又は２に記載のインクジェット記録装置。
【請求項４】
前記吐出ヘッドは、前記貼付部によって前記被記録紙に貼り付けられる前の状態の前記紙片に対して画像を記録するよう構成されていることを特徴とする請求項１又は２に記載のインクジェット記録装置。
【請求項５】
前記搬送部は、前記被記録紙を挟み前記走査方向に延在する軸を中心に回転する一対のローラを有しており、これら一対のローラは、貼付された前記紙片とともに前記被記録紙を挟むことができるように構成されていることを特徴とする請求項１乃至４の何れかに記載のインクジェット記録装置。
【請求項６】
前記被記録紙の両面に対して画像を記録する両面記録機能を有し、前記貼付部は、前記被記録紙の両面に画像を記録する場合に、前記被記録紙の一方の面に画像を記録した後に前記紙片を貼り付けるよう構成されていることを特徴とする請求項１乃至５の何れかに記載のインクジェット記録装置。
【請求項７】
前記制御部は、前記ヘッド駆動部により前記吐出ヘッドを走査方向の一方向へ移動させている間に、該吐出ヘッドから前記被記録紙及び前記紙片の双方に対して順にインクを吐出させるように前記吐出ヘッド及び前記ヘッド駆動部の動作を制御することを特徴とする請求項１乃至６の何れかに記載のインクジェット記録装置。
【請求項８】
前記被記録紙の前記搬送方向における貼付位置を示す位置情報を記憶する記憶部を更に備え、
前記制御部は、前記紙片が前記記憶部に記憶された前記位置情報に示される貼付位置に貼付されるように前記搬送部及び前記貼付部の動作を制御することを特徴とする請求項１乃至７の何れかに記載のインクジェット記録装置。
【請求項９】
前記貼付部は、表面の一部に粘着材が付された前記紙片を収容して前記被記録紙の一方面に対向配置される収容部と、該収容部に収容された前記紙片の表面に摺接することにより該紙片を表面側へ突出するよう撓曲させる摺接部と、前記紙片における撓曲部の裏面側に挿通される挿通部とを有し、
前記貼付部は、該挿通部を前記紙片において前記粘着部材が付された部分側へ移動させることにより、前記紙片を前記収容部から離脱させると共に被記録紙の前記一方面に貼り付けるよう構成されていることを特徴とする請求項１乃至８の何れかに記載のインクジェット記録装置。
【請求項１０】
前記収容部は、複数の前記紙片が重ねられた紙片束を収容可能に構成され、前記貼付部は、前記紙片束を前記被記録紙に近接する方向へ移動可能な駆動部を更に有することを特徴とする請求項９に記載のインクジェット記録装置。
【請求項１１】
前記貼付部が有する前記摺接部は、前記紙片と摺接する外周面を有する回転可能なロータにより構成されていることを特徴とする請求項９又は１０に記載のインクジェット記録装置。
【請求項１２】
前記貼付部が有する前記摺接部は、前記紙片に対して近接及び離反することが可能に構成されていることを特徴とする請求項９乃至１１の何れかに記載のインクジェット記録装置。
【発明の詳細な説明】
【技術分野】
【０００１】
本発明は、吐出ヘッドから吐出されるインクによって画像が形成される被記録紙に、紙片を貼付することができるインクジェット記録装置に関する。
【背景技術】
【０００２】
インクジェット記録装置は、吐出ヘッドからインクを吐出することにより、複数の被記録紙に対して画像を形成（印刷）することができ、画像が形成された被記録紙は、順に排紙トレイに蓄積されるようになっている。近年では、複数のパーソナルコンピュータに接続されることにより、複数のユーザから別々のドキュメントが印刷されることもあり、この場合は、各ドキュメントが印刷された複数の被記録紙が排紙トレイに蓄積されることとなる。また、ＦＡＸ機能を有するインクジェット記録装置にあっては、パーソナルコンピュータからのドキュメントが印刷された被記録紙の他、ＦＡＸ受信したドキュメントが印刷された被記録紙も、排紙トレイに蓄積されることとなる。
【０００３】
このように、複数のドキュメントが印刷された各被記録紙（印刷物）が一束に蓄積されると、この束の中から各ユーザが所望の印刷物を仕分けして取り出すのに手間が掛かってしまう。そこで、被記録紙に対し、印字された付箋などの紙片を貼付することにより、排紙トレイに蓄積された被記録紙の束において、各ドキュメントの仕分けを容易に行えるようにする提案がなされている（特許文献１，２参照）
【特許文献１】特開平１０−８７１４８号公報
【特許文献２】特開２００６−２１４４９号公報
【発明の開示】
【発明が解決しようとする課題】
【０００４】
しかしながら、特許文献１に示された発明によれば、被記録紙に画像を形成するための吐出ヘッドと、付箋に印字するための吐出ヘッドとが別々に備えられているため、装置本体の小型化や低コスト化といった要望に応えることが困難である。
【０００５】
また、特許文献２には感光ドラムを備えるレーザー方式のプリンタ装置が開示されており、事前に貼付された紙片に被記録紙と共に画像形成される構成となっている。しかしながら、レーザー式のプリンタ装置であるため、紙片を貼付する位置は、感光ドラムが配設された画像形成位置に対し、被記録紙の搬送方向の上流側へずらして配置する必要がある。実際、特許文献２に開示された構成によれば、紙片が貼付される位置は感光ドラムから大きく隔てられて上流側に設定されており、被記録紙は紙片が貼付された状態で感光ドラムまで移動する必要があるため、途中で被記録紙から紙片が剥がれる可能性がある。
【０００６】
そこで本発明は、装置本体の小型化及び低コスト化を図ることが可能であり、更に、画像形成位置と紙片貼付位置とを近接させて貼付後の紙片の脱落を防止することができるインクジェット記録装置を提供することを目的とする。
【課題を解決するための手段】
【０００７】
本発明は上述したような事情に鑑みてなされたものであり、本発明に係るインクジェット記録装置は、被記録紙へインクを吐出するインクジェット式の吐出ヘッドと、前記被記録紙を所定の搬送方向に搬送する搬送部と、前記被記録紙への画像の記録時に前記吐出ヘッドを前記被記録紙の搬送方向に直交する走査方向へ移動させるヘッド駆動部と、前記被記録紙に対して前記走査方向の端部からはみ出すように紙片を貼り付ける貼付部と、前記吐出ヘッド、前記搬送部、前記ヘッド駆動部及び前記貼付部を制御する制御部とを備え、前記吐出ヘッドは、前記走査方向に沿った前記被記録紙の外方位置にて前記紙片に画像を記録するよう構成されている。
【０００８】
このような構成とすることにより、被記録紙へインクを吐出するインクジェット式の吐出ヘッドを、被記録紙に貼付する紙片への画像形成にも兼用することができるため、１つの吐出ヘッドを備えればよく、装置本体の小型化及び低コスト化を図ることができる。
【０００９】
また、前記貼付部は、前記吐出ヘッドから吐出するインクによって画像形成可能な領域内に配設されていてもよい。このような構成とすることにより、被記録紙への紙片の貼付位置と、紙片への画像形成位置とが略一致することとなるため、被記録紙に紙片が貼付された後、排紙トレイへ至るまでの該被記録紙の移動距離を短縮することができ、被記録紙から紙片が脱落するのを防止することができる。
【００１０】
また、前記吐出ヘッドは、前記貼付部によって前記被記録紙に貼り付けられた状態の前記紙片に対して画像を記録するよう構成されていてもよい。このような構成とすることにより、貼付後の紙片は被記録紙に対して記録面（画像形成される側の面）が略面一となるため、同一の吐出ヘッドから吐出するインクによって紙片に対して正確に画像形成することができる。
【００１１】
また、前記吐出ヘッドは、前記貼付部によって前記被記録紙に貼り付けられる前の状態の前記紙片に対して画像を記録するよう構成されていてもよい。例えば、複数の紙片が粘着材を介して積層接着された付箋紙束から１枚の付箋を剥がして被記録紙に貼付するような場合、剥がされた１枚の付箋は、様々の曲率で湾曲した形状になりがちである。しかしながら、上述したような構成とすることにより、付箋紙束から剥がされる前の付箋に画像形成することができるため、剥がされることにより湾曲形状を呈してしまった付箋に画像形成する場合に比べ、正確な画像を形成することができる。また、被記録紙に貼付される以前であっても、ドキュメントの印刷処理の途中であって被記録紙へ画像を形成しない期間を利用して、この期間中に紙片に対して画像形成しておくことも可能である。
【００１２】
また、前記搬送部は、前記被記録紙を挟み前記走査方向に延在する軸を中心に回転する一対のローラを有しており、これら一対のローラは、貼付された前記紙片とともに前記被記録紙を挟むことができるように構成されていてもよい。このような構成とすることにより、被記録紙の搬送部を、被記録紙とその被記録紙に貼付された紙片とを圧着するための手段としても利用することができる
また、前記被記録紙の両面に対して画像を記録する両面記録機能を有し、前記貼付部は、前記被記録紙の両面に画像を記録する場合に、前記被記録紙の一方の面に画像を記録した後に前記紙片を貼り付けるよう構成されていてもよい。このような構成とすることにより、紙片が貼付された後に被記録紙の移動距離を最短にし、被記録紙から紙片が剥がれ落ちるのを抑制することができる。即ち、一方の面への記録前に貼付してしまうと、一方の面へ画像を記録する前から、他方の面への画像記録を経て排紙されるまでの間中、紙片は被記録紙に貼付された状態で移動する必要があり、移動距離が長い分、途中で剥がれ落ちる可能性が大きくなる。しかしながら、上述したような構成とすることにより、例えば、一方の面への画像記録の後、他方の面へ画像を記録する前後のタイミングで紙片を貼付することができるため、その後の移動は排紙トレイまでの短距離で済み、紙片が被記録紙から剥がれる可能性を低減することができる。
【００１３】
また、前記制御部は、前記ヘッド駆動部により前記吐出ヘッドを走査方向の一方向へ移動させている間に、該吐出ヘッドから前記被記録紙及び前記紙片の双方に対して順にインクを吐出させるように前記吐出ヘッド及び前記ヘッド駆動部の動作を制御してもよい。このような構成とすることにより、被記録紙への画像形成と、紙片への画像形成とを、吐出ヘッドの一方向への走査中に行うことができるため、両方の画像形成処理を短時間で完了することができる。
【００１４】
また、前記被記録紙の前記搬送方向における貼付位置を示す位置情報を記憶する記憶部を更に備え、前記制御部は、前記紙片が前記記憶部に記憶された前記位置情報に示される貼付位置に貼付されるように前記搬送部及び前記貼付部の動作を制御してもよい。このような構成とすることにより、紙片が貼付される位置を適宜設定することが可能となり、複数のドキュメントの仕分け作業が容易になる。
【００１５】
また、前記貼付部は、表面の一部に粘着材が付された前記紙片を収容して前記被記録紙の一方面に対向配置される収容部と、該収容部に収容された前記紙片の表面に摺接することにより該紙片を表面側へ突出するよう撓曲させる摺接部と、前記紙片における撓曲部の裏面側に挿通される挿通部とを有し、前記貼付部は、該挿通部を前記紙片において前記粘着部材が付された部分側へ移動させることにより、前記紙片を前記収容部から離脱させると共に被記録紙の前記一方面に貼り付けるよう構成されていてもよい。
【００１６】
このような構成とすることにより、簡単な構成によって、複数枚が互いに貼り合わされた紙片の束から、１枚の紙片のみを被記録紙に貼付することができる。また、摺接部が紙片の正面を摺接する構成となっているため、摺接された最上位置の１枚の紙片のみを、確実に撓曲させることができる。
【００１７】
また、前記収容部は、複数の前記紙片が重ねられた紙片束を収容可能に構成され、前記貼付部は、前記紙片束を前記被記録紙に近接する方向へ移動可能な駆動部を更に有していてもよい。このような構成とすることにより、紙片束から紙片を１枚ずつ適切に、被記録紙へ貼付することができる。
【００１８】
また、前記貼付部が有する前記摺接部は、前記紙片と摺接する外周面を有する回転可能なロータにより構成されていてもよい。このような構成とすることにより、簡単な構成によって摺接部を構成することができる。
【００１９】
また、前記貼付部が有する前記摺接部は、前記紙片に対して近接及び離反することが可能に構成されていてもよい。このような構成とすることにより、紙片を被記録紙へ貼付するときのみ摺接部を紙片へ近接するよう移動させ、不要時には離反するよう退避させておくことができる。
【発明の効果】
【００２０】
本発明に係るインクジェット記録装置によれば、装置本体の小型化及び低コスト化を図ることが可能であり、更に、画像形成位置と紙片貼付位置とを近接させて貼付後の紙片の脱落を防止することができるインクジェット記録装置を提供することができる。
【発明を実施するための最良の形態】
【００２１】
以下、本発明の実施の形態に係るインクジェット記録装置について、図面を参照しつつ具体的に説明する。
【００２２】
図１は、本発明の実施形態に係るインクジェット記録装置１の外観構成を示す斜視図であり、本実施の形態ではインクジェット記録装置１として所謂複合機を図示している。図１に示すようにインクジェット記録装置１は、インクジェット方式によって画像を記録するプリンタ部２を、略直方体形状の筐体１ａの下部に備え、且つスキャナ部３を筐体１ａの上部に備えて構成された多機能装置であり、プリンタ機能、スキャナ機能、コピー機能、ファクシミリ機能を有している。
【００２３】
図１に示すようにインクジェット記録装置１のプリンタ部２は、筐体１ａの正面（前側）に開口４を有しており、この開口４の内側には、下側の給紙トレイ５と上側の排紙トレイ６とが２段にして設けられている。給紙トレイ５には被記録紙として複数枚の記録用紙Ｐを収容でき、例えば、Ａ４サイズ以下の各種サイズの記録用紙Ｐが複数枚収容できるようになっている。
【００２４】
プリンタ部２の正面の右下部分には扉７が開閉自在に設けられ、該扉７の内方にはメインタンク（インクカートリッジともいう）９を装着するためのメインタンク搭載部８（図２参照）が設けられている。従って、扉７が開かれるとメインタンク搭載部８が正面側に露出し、メインタンク９が着脱可能になっている。メインタンク搭載部８は、使用されるインク色に対応した収容室が備えられており、本プリンタ部２では、５色のカラーインク、即ち、染料インクであるシアン（Ｃ）、マゼンタ（Ｍ）、イエロー（Ｙ）、フォトブラック（ＰＢｋ）と、顔料インクであるブラック（Ｂｋ）とが使用される。したがって、メインタンク搭載部８には５つの収容室が区画されており、各収容室に、シアン（Ｃ）、マゼンタ（Ｍ）、イエロー（Ｙ）、フォトブラック（ＰＢｋ）、ブラック（Ｂｋ）の各色インクを貯留するメインタンク９が収容される。
【００２５】
インクジェット記録装置１の上部に設けられたスキャナ部３は、所謂フラットベッドスキャナとして構成されている。即ち、図１に示されるようにインクジェット記録装置１の上面には、該インクジェット記録装置１の天板として開閉自在に設けられた原稿カバー１０が備えられている。そして、原稿カバー１０の下側に、原稿が載置されるプラテンガラス（図示せず）や原稿の画像を読み取るイメージセンサ（図示せず）などが配設されている。
【００２６】
インクジェット記録装置１の正面上部には、プリンタ部２やスキャナ部３を操作するための操作パネル１１が設けられている。操作パネル１１は、各種操作ボタンや液晶ディスプレイから構成されており、インクジェット記録装置１は、ユーザによる操作パネル１１の操作の結果、該操作パネル１１から出力される指示に基づいて動作可能になっている。
【００２７】
インクジェット記録装置１の正面左上部分にはスロット部１２が設けられている。スロット部１２には、記憶媒体である各種小型メモリカードが装填可能であり、操作パネル１１において所定の操作を行うことにより、スロット部１２に装填された小型メモリカードに記憶されたデータが読み出し可能となっている。読み出されたデータは、操作パネル１１の液晶ディスプレイに表示させることも可能であり、この表示に基づいて任意に選択された画像をプリンタ部２により記録用紙Ｐに記録させることができる。
【００２８】
図２は、プリンタ部２の構成を示す模式的断面図であり、図３は、プリンタ部２の構成を模式的に示す斜視図、図４は、プリンタ部２の構成を示す平面図である。図２に示すように、インクジェット記録装置１の底部近傍には前述した給紙トレイ５が設けられており、該給紙トレイ５の上方には、左右方向に長寸を成す平坦な板状のプラテン１８が設けられている。このプラテン１８の更に上方には、ノズル孔２０ａからインクを吐出する吐出ヘッド２０等がキャリッジ１９に搭載されて成る画像記録ユニット２２が設けられている。また、給紙トレイ５の後方からは用紙搬送路２３が延設されている。この用紙搬送路２３は、給紙トレイ５の後方から上方へ向かい更に前方へ向かうように湾曲した湾曲パス２４と、該湾曲パス２４の終点から更に前方へ延びるストレートパス２５とから成り、画像記録ユニット２２の配設箇所以外の部分では、所定間隔で対向する外側ガイド面と内側ガイド面とで構成されている。
【００２９】
給紙トレイ５の直上には、該給紙トレイ５内の記録用紙Ｐを用紙搬送路２３へ供給する給紙ローラ２６が設けられている。また、用紙搬送路２３における湾曲パス２４の下流部分近傍には、搬送ローラ２７及びピンチローラ２８から成る一対の搬送ローラ対２９が、両ローラ２７，２８によって用紙搬送路２３を上下から挟むようにして設けられている。更に、用紙搬送路２３におけるストレートパス２５の下流部分近傍には、排紙ローラ３０及びピンチローラ３１から成る一対の排紙ローラ対３２が、両ローラ３０，３１によって用紙搬送路２３を上下から挟むようにして設けられている。上述した吐出ヘッド２０とプラテン１８とは、搬送ローラ対２９と排紙ローラ対３２との間にて、ストレートパス２５を上下から挟むようにして設けられている。以上説明した給紙ローラ２６、一対の搬送ローラ対２９、及び一対の排紙ローラ対３２を含んで記録用紙Ｐを搬送する搬送部が構成されている。
【００３０】
また、図３に示すように吐出ヘッド２０は、左右方向（プラテン１８の長手方向）へ延びるガイドロッド３４により、左右方向へのスライド移動可能なように支持されており、更に吐出ヘッド２０は、左右に離隔して配設されたプーリ３５ａ，３５ａ間に巻回されたベルト３５ｂに接続されている。このプーリ３５ａ及びベルト３５ｂは、キャリッジモータ３５（図６参照）の駆動によって正逆自在に回転され、これらキャリッジモータ３５，プーリ３５ａ，及びベルト３５ｂによってヘッド駆動部３６を構成している。そして、このヘッド駆動部３６が駆動してキャリッジモータ３５が回転することにより、吐出ヘッド２０は、ガイドロッド３４に沿った左右方向（以下、「走査方向」という）へ所定範囲内で可動になっている。
【００３１】
この吐出ヘッド２０には、メインタンク搭載部８に装着されたメインタンク９から、気液分離用のサブタンク４１と、可撓性のインク供給チューブ４２と、吐出ヘッド２０の上部に接続されたバッファタンク４３とを介し、インクが供給されるようになっている。そして、吐出ヘッド２０が有する圧電素子などから成るアクチュエータ（図示せず）が駆動することにより、バッファタンク４３内のインクは吐出ヘッド２０内へ流入し、ノズル孔２０ａから外部へ吐出される。
【００３２】
上述したようなプリンタ部２では、給紙トレイ５内の記録用紙Ｐが、給紙ローラ２６によって用紙搬送路２３へ供給され、続いて搬送ローラ対２９によって用紙搬送路２３上を湾曲パス２４からストレートパス２５へと搬送される。ストレートパス２５に到達した記録用紙Ｐは、ここで対向配置された吐出ヘッド２０のノズル孔２０ａから吐出するインクにより画像が記録され、記録が完了すると排紙ローラ対３２によってストレートパス２５から排出されて排紙トレイ６（図１参照）へ収容されるようになっている。
【００３３】
このように、ストレートパス２５において吐出ヘッド２０が対向する領域はインクを吐出して画像を形成することができる画像形成領域３７（図４参照）となっており、この領域３７に記録用紙Ｐが位置するときに吐出ヘッド２０からインクを吐出すると、該記録用紙Ｐに画像を形成することができる。また、図３及び図４に示すようにこの画像形成領域３７は、プラテン１８上の記録用紙Ｐの一端部、より詳しくは、吐出ヘッド２０の走査方向における一端部からはみ出すように設定されている。そして、後述するように、平面視でこのはみ出した領域３７ａと紙片５３とが少なくとも一部分重複するようにして、この紙片５３を記録用紙Ｐに貼付する紙片貼付部５０が設けられている。
【００３４】
［紙片貼付部の構成］
図５は、紙片貼付部５０の構成及び動作原理を説明するための模式的斜視図である。図５に示すように、紙片貼付部５０は、上方へ向けて開口を有すると共に左右方向へ長寸を成す直方体箱状の紙片収容部５１を有し、該紙片収容部５１内には紙片束５２が収容されている。
【００３５】
この紙片束５２は、同一寸法を有する長方形状の紙片５３が複数積層されて構成されており、各紙片５３の上面の一端部５３ａ（即ち、紙片収容部５１に収容された状態で露出する側の表面）に粘着材が付され、この粘着材によって上方に隣接する他の紙片５３と接合されている。但し、この粘着材による接着力は比較的弱いものとなっており、互いに接着された紙片５３，５３は比較的容易に引き剥がすことが可能である。そして、この紙片束５２としては、広く市販されている付箋紙を用いることができる。
【００３６】
また、紙片収容部５１の内底部には、収容された紙片束５２の高さを調整するための底上部（駆動部）５４が設けられている。この底上部５４は、紙片束５２が載置される載置板５４ａと、該載置板５４ａと紙片収容部５１の内底面との間に設けられて板バネ等から成る弾性部材５４ｂとから構成されている。この弾性部材５４ｂは、載置板５４ａを上方へ向かわせるように付勢している。
【００３７】
このような紙片収容部５１内には、粘着材が付された側の端部５３ａがプラテン１８上の記録用紙Ｐ（図４参照）に近接するようにして紙片束５２が収容され、この紙片束５２は底上部５４が有する載置板５４ａの上面に載置される。すると、紙片束５２の自重によって弾性部材５４ｂは弾性変形し、載置板５４ａと共に紙片束５２は下降して所定位置で停止する。一方、紙片束５２の最上部の紙片５３を順次取り去っていくと、紙片束５２の自重が小さくなるため、弾性部材５４ｂの付勢力によって載置板５４ａと共に紙片束５２は上昇する。その結果、紙片束５２に含まれる紙片５３の枚数に拘らず、紙片束５２の最上面は、紙片収容部５１の内底面から略一定の高さに位置するよう調整されるようになっている。
【００３８】
また、紙片収容部５１の上方には、前後方向に向けられた軸心回りに回転可能なロータ（摺接部）５５が配設されており、アクチュエータ５６（図６参照）によって回転、上昇、及び下降することができるようになっている。このロータ５５は、紙片収容部５１に収容された紙片束５２の最上部の紙片５３に上方から接触するまで下降することができ、接触した状態で回転することにより、図５にて二点鎖線で示すように紙片５３を撓曲させることができる。
【００３９】
更に、紙片貼付部５０は挿通ロッド５７を備えている。この挿通ロッド５７は、通常は紙片収容部５１の後方にて待機しており、別のアクチュエータ５８（図６参照）によって待機位置から前方へ、更に側方へと移動可能であり、また待機位置へと戻れるようになっている。従って、ロータ５５により紙片５３が撓曲された状態でアクチュエータ５８を駆動し、挿通ロッド５７を前方へ移動させると、該挿通ロッド５７は、紙片５３の撓曲部の下方に挿通される。次に、挿通ロッド５７を、紙片５３において粘着材が付された端部５３ａの方向（図５では右方向）へ移動させると、この紙片５３は、接着されていた直下の紙片５３から離脱されることとなる。
【００４０】
このような構成を成す紙片貼付部５０は、図４に示すように、紙片収容部５１に収容された紙片５３において、粘着材が付された端部５３ａが、記録用紙Ｐの側端部の下方に位置するようにして配設されている。そして、各アクチュエータ５６，５８を駆動することにより、後述するように記録用紙Ｐの裏面に紙片５３を貼付できるようになっている。
【００４１】
［機能ブロック図］
図６は、上述したようなインクジェット記録装置１の機能を説明するためのブロック図である。図６に示すように、インクジェット記録装置１は制御部６０を備え、該制御部６０には既に説明した吐出ヘッド２０が吐出ドライバ６１を介して接続され、該吐出ヘッド２０を走査させるキャリッジモータ３５が走査ドライバ６２を介して接続されている。従って、吐出ドライバ６１は制御部６０からの制御信号に基づいて駆動信号を出力し、吐出ヘッド２０はこの駆動信号により、所定量のインクを所定のタイミングで吐出する。また、走査ドライバ６２は制御部６０からの制御信号に基づいて駆動信号を出力し、キャリッジモータ３５はこの駆動信号により規定された回転方向、回転速度、及び回転角度だけ駆動する。その結果、吐出ヘッド２０はキャリッジモータ３５に連動して走査方向へ移動することとなる。
【００４２】
制御部６０には、上述した紙片貼付部５０が備えるアクチュエータ５６，５８も、それぞれ駆動部６３，６４を介して接続されている。駆動部６３，６４は、何れも制御部６０からの制御信号に基づいてアクチュエータ５６，５８を駆動する駆動信号を出力するものであり、既に説明したように、この駆動信号が入力されたアクチュエータ５６は、紙片貼付部５０が備えるロータ５５を回転させ、上昇動及び下降動させることができ、アクチュエータ５８は、挿通ロッド５７を前後方向及び左右方向へと水平移動させることができる。
【００４３】
また、制御部６０には、紙片５３を貼付すべき記録用紙Ｐの位置を検出するための用紙位置検出部６５が接続されている。図３及び図４にも示すように、この用紙位置検出部６５は、紙片貼付部５０が備える紙片収容部５１の近傍であって、且つ、記録用紙Ｐの搬送方向の上流側に配設されている。用紙位置検出部６５によって検出された記録用紙Ｐの位置に関する情報は、制御部６０へ出力され、該制御部６０はこの情報に基づいて記録用紙Ｐへ紙片５３を貼付するタイミングを計り、紙片貼付部５０を駆動する。なお、搬送ローラ対２９や排紙ローラ対３２にポテンショメータを設けるなどして、該ポテンショメータからの出力によって紙片５３を貼付すべき記録用紙Ｐの位置を検出可能であれば、上記用紙位置検出部６５に換えてこのような構成を採用してもよい。
【００４４】
また、制御部６０には、演算結果などを一時的に記憶するためのＲＡＭ６６と、インクジェット記録装置１の動作を制御するプログラムを記録するためのＲＯＭ６７とが夫々接続されている。制御部６０は、ＲＯＭ６７内のプログラムに従って全ての動作を実行可能であって、その実行に際して発生する演算結果がＲＡＭ６６で一時的に記憶されるようになっている。
【００４５】
更に、制御部６０には、インタフェース６８，６９を介して外部機器であるＦＡＸ送信器７０及びパーソナルコンピュータ７１がそれぞれ接続されている。従って、制御部６０は、ＦＡＸ送信器７０又はパーソナルコンピュータ７１からインタフェース６８，６９を介して受信した信号に基づき、吐出ヘッド２０を走査してインクを吐出し、記録用紙Ｐに画像を形成することができ、更に、後述するようにして紙片５３にも画像を形成することができるようになっている。
【００４６】
［動作説明］
図７は、上述したインクジェット記録装置１の動作を説明するためのフローチャートであり、記録用紙Ｐに貼付された状態の紙片５３に画像形成する場合の動作を示している。図７に示すように、インクジェット記録装置１は給紙トレイ５から記録用紙Ｐを用紙搬送路２３に沿って搬送し、画像形成領域３７へ供給する（Ｓ１）。制御部６０は、画像形成領域３７にて次に画像形成される記録用紙Ｐが、紙片５３を貼付すべき対象であるか否かを判断し（Ｓ２）、対象でないと判断した場合（Ｓ２：ＮＯ）は、当該記録用紙Ｐを順次紙送りしつつ吐出ヘッド２０からインクを吐出して必要な画像を形成し（Ｓ７）、画像形成が完了すると排紙トレイ６へ排出する（Ｓ８）。
【００４７】
一方、ステップ２にて紙片５３を貼付すべき対象であると判断した場合（Ｓ２：ＹＥＳ）は、記録用紙Ｐが所定位置に到達するまで、これを紙送りしつつ必要な画像を形成していく（Ｓ３）。次に、用紙位置検出部６５からの信号により、記録用紙Ｐが紙片５３を貼付すべき位置に到達したか否かを判断し（Ｓ４）、未到達と判断した場合（Ｓ４：ＮＯ）はステップ３〜４の動作を繰り返し、到達したと判断した場合（Ｓ４：ＹＥＳ）は、紙片貼付部５０を駆動して、紙片５３を記録用紙Ｐの裏面に貼付する（Ｓ５）。
【００４８】
図８は、紙片５３を記録用紙Ｐに貼付する際の紙片貼付部５０の動作を説明するための図面である。図７のステップ５において、はじめに制御部６０は、アクチュエータ５６を駆動してロータ５５を下降させ（図８（ａ）参照）、紙片束５２の最も上に位置する紙片５３の上面に当接させる。続いて、該ロータ５５を一方向、より詳しくは、ロータ５５における紙片５３との接点が、紙片５３にて粘着材が付された側の端部５３ａに接近する方向に、所定の角度だけ回転させる（同（ｂ）参照）。その結果、ロータ５５は紙片５３の上面に摺接するようにして回転するため、紙片５３はその両端が近接するように撓み、途中の部分が上方へ撓曲する。
【００４９】
次に制御部６０は、アクチュエータ５８を駆動し、紙片収容部５１より後方にて待機していた挿通ロッド５７を前進させ、紙片５３の撓曲部分の下方にこれを挿通させる（同（ｃ）参照）。この状態で挿通ロッド５７を、紙片５３において粘着材が付された端部側へ移動させることにより、この紙片５３を直下の紙片５３から離脱させると共に、この紙片５３の上面端部５３ａに付された粘着材によってこの紙片５３を記録用紙Ｐの裏面側端部に貼付させる（同（ｄ）参照）。そして、紙片５３を記録用紙Ｐに貼付させ終えると、アクチュエータ５６を駆動してロータ５５を上昇させ、これを元の位置にて待機させる（同（ｅ）参照）。なお、挿通ロッド５７を動作させている間、紙片５３はロータ５５によって上方から押圧されて位置ずれが生じにくいようになっている。
【００５０】
このようにして図７に示すステップ５の貼付が完了すると、記録用紙Ｐに貼付された状態の紙片５３に必要な画像を形成する（Ｓ６）。その後、記録用紙Ｐを紙送りしつつ、これに対して必要な残りの画像を形成し（Ｓ７）、全ての画像形成が終了すると排紙トレイ６に排紙し（Ｓ８）、一連の処理を終了する。なお、図３及び図４に示すように、排紙ローラ対３２を構成するピンチローラ３１には、記録用紙Ｐの側端部を上方から押圧する幅広のローラ部３１ａが設けられている。従って、紙片５３の貼付後、記録用紙Ｐが紙送りされることにより、ローラ部３１ａと排紙ローラ３０とによって、紙片５３において粘着材が付された端部５３ａと記録用紙Ｐとが挟まれて圧着され、強固に貼付されるようになっている。これにより、記録用紙Ｐの搬送部を、記録用紙Ｐと紙片５３の端部５３ａとを圧着するための手段としても利用することができるので、専用の圧着手段を設ける場合に比べてコストダウンを図ることができる。
【００５１】
このようにして複数のドキュメントについて記録用紙Ｐへ画像形成を行い、これらの記録用紙Ｐのうち、例えば各ドキュメントの開始ページに相当する記録用紙Ｐに紙片５３を貼付することにより、図９に示すような記録用紙Ｐの束が排紙トレイ６に蓄積されることとなる。そして、図９に示すように、紙片５３は記録用紙Ｐの端部からはみ出すように貼付されるため、各ドキュメントを探しやすく、仕分け作業が容易に行えるようになっている。
【００５２】
なお、記録用紙Pに紙片５３を貼付する位置、すなわち、記録用紙Pの用紙搬送方向（走査方向と直交する方向）における貼付位置は、ユーザの設定により適宜変更することが可能である。この場合、ユーザは、パーソナルコンピュータ７１から記録用紙Ｐに形成する画像情報に関連つけて紙片５３の貼付位置を入力することが可能であり、入力された貼付位置はＲＡＭ６６に記憶される。そして、制御部６０は、図７に示したフローチャートのステップ２で紙片５３を貼付する対象であると判断した場合、ＲＡＭ６６から貼付位置を読み出し、ステップ４で、記録用紙Ｐがその読み出した貼付位置に紙片５３を貼付することのできる位置に到達したか否かを判断することとなる。このようにして、用紙搬送方向における紙片５３の貼付位置をユーザの好みに応じて適宜設定することで、図９に示すように、記録用紙Ｐの束が排紙トレイ６に蓄積されても、各ドキュメントを探しやすく、仕分け作業が容易に行える。
【００５３】
ところで、紙片貼付部５０は画像形成領域３７内に存在するため、貼付直後の紙片５３も画像形成領域３７内に存在している。従って、貼付された紙片５３を記録用紙Ｐと共に移動させることなく、貼付された紙片５３に対してその場で画像形成することができる。しかも、記録用紙Ｐへの画像形成と紙片５３への画像形成とにおいて、同一の吐出ヘッド２０を使用するため、それぞれ別個の吐出ヘッドを備えさせる場合に比べて低価格化と装置１の小型化を実現することができる。
【００５４】
また、紙片５３に画像形成するに際しては、記録用紙Ｐへの画像形成と連続してこれを実行する。より詳しくは、紙片５３に画像形成する場合であって、記録用紙Ｐにおいて該紙片５３の貼付箇所を通る走査方向の位置（即ち、記録用紙Ｐにおける貼付位置と同一走査線上の位置）にも画像形成すべき場合は、吐出ヘッド２０の一方向への走査によって、記録用紙Ｐと紙片５３とに順に画像を形成する。同様に、吐出ヘッド２０の他方向への走査によっても、記録用紙Ｐと紙片５３とに順に画像を形成する。このようにすることにより、例えば、記録用紙Ｐに必要な画像を形成した後、この記録用紙Ｐを搬送方向に対して逆方向へ戻し、紙片５３に画像を形成する、というような複雑な操作をする必要がなく、記録用紙Ｐ及び紙片５３に画像を形成し終えるまでの時間の短縮も図ることができる。
【００５５】
また、図７に示した動作では、記録用紙Ｐに貼付された紙片５３に画像を形成することとしている。このようにすることにより、貼付された紙片５３の上面は、記録用紙Ｐの上面と略面一となるため、吐出ヘッド２０から紙片５３までの離隔距離が、記録用紙Ｐまでの離隔距離と略等しくなる。従って、吐出ヘッド２０からのインクの吐出により、紙片５３に対して正確な画像を形成することができる。
【００５６】
図１０は、インクジェット記録装置１の他の動作を説明するためのフローチャートであり、記録用紙Ｐに貼付される前に、紙片５３に画像形成する場合の動作を示している。図７のフローチャートに示した動作においては、記録用紙Ｐへ紙片５３が貼付された後のステップ６にて、紙片５３への画像形成処理が行われているのに対し、図１０に示す動作においては、紙片５３の貼付（Ｓ１６）よりも前であって、次に画像形成すべき記録用紙Ｐが紙片５３を貼付すべき対象である（Ｓ１２：ＹＥＳ）と判断した後に行われている点で相違している。なお、図１０に示すその他の動作を示すステップＳ１１，Ｓ１２，Ｓ１４〜Ｓ１８は、夫々順に、図７に示したステップＳ１〜Ｓ５，Ｓ７，Ｓ８の動作と同様であるため、ここでの詳説は省略する。
【００５７】
このように、予め紙片５３に画像を形成してから、この紙片５３を記録用紙Ｐに貼付することにより、紙片５３が紙片収容部５１に収容されて安定姿勢を維持している状態で、これに画像を形成することができる。従って、正確な画像形成を行うことができる。
【００５８】
なお、図１０に示した例では、記録用紙Ｐを貼付対象と判断した直後に、紙片５３への画像形成を実行することとしているが、これに限られない。即ち、記録用紙Ｐへ紙片５３を貼付する以前にこの紙片５３へ画像を形成していればよいのであり、例えば、貼付する直前のタイミングで紙片５３へ画像形成してもよいし、又は、貼付対象となる記録用紙Ｐが検出される以前に、予め紙片５３へ画像形成しておいてもよい。
【００５９】
［両面印刷機］
上述したインクジェット記録装置１が有するプリンタ部２は、記録用紙Ｐの一方の面にのみ画像を形成して排出する片面印刷機能を有するものについて説明している。しかしながら、インクジェット記録装置１のプリンタ部２として、記録用紙Ｐの一方の面及び他方の面の両方に画像を形成することのできる両面印刷機能を備えたものを採用した場合であっても、上述したような紙片貼付部５０を備えさせることにより、記録用紙Ｐに紙片を貼付することができる。以下、これについて詳述する。
【００６０】
図１１は、インクジェット記録装置１として両面印刷機を採用した場合の構成を示す模式図である。図１１に示すように、このインクジェット記録装置１は、図２に示したものと同様に、プラテン１８と、これに対向するように上方に配置された吐出ヘッド２０とを備え、これらの後方及び前方には夫々搬送ローラ対２９と排紙ローラ対３２とが配設されている。そして、プラテン１８の側方（紙面手前側）には、図５を用いて説明したのと同様の構成を備える紙片貼付部５０が設けられている。なお、図１１に関する説明では、最終的に排出される記録用紙Ｐの排出方向を前方とし、その反対方向を後方として記載する。
【００６１】
上記に加え、図１１に示すインクジェット記録装置１には、上下一対のローラから成る第１ローラ対８１が搬送ローラ対２９の後方に備えられ、その下方には記録用紙Ｐを表裏反転させるための反転機構８０が備えられている。この反転機構８０は、下方に位置する第２ローラ対８２と、その上方であって搬送ローラ対２９の後方に位置する第３ローラ対８３と、反転させる記録用紙Ｐが通る反転経路８４と、更には、搬送ローラ対２９から後方へ搬送される記録用紙Ｐを上記第２ローラ対８２へ導くと共に、第３ローラ対８３により前方へ搬送される記録用紙Ｐを再び搬送ローラ対２９へと導くガイド８５とを備えている。
【００６２】
この反転経路８４は、入口と出口とが共に前方へ向けられており、上記第２ローラ対８２は反転経路８４の入口近傍に配設され、反転経路８４内へ記録用紙Ｐを誘導し、第３ローラ対８３は反転経路８４の出口近傍に配設され、反転経路８４からの記録用紙Ｐを搬送ローラ対２９へ誘導するようになっている。従って、第２ローラ対８２によって入口から反転経路８４内へ導かれた記録用紙Ｐは、その経路に沿って移動し、出口付近で第３ローラ対８３により更に外方へ導き出される。その結果、反転経路８４内へ入る前とここから出た後とでは、記録用紙Ｐの表裏が反転されるようになっている。図１１中に、このような記録用紙Ｐが反転されるまでの移動経路を二点鎖線で示す。
【００６３】
なお、両面印刷機能を有するプリンタ部２を備えたこのインクジェット記録装置１において、図１１に示していない他の構成については、図１乃至図６に示されて既に説明した構成と同様であるので、ここでの詳説は省略する。
【００６４】
次に、このような構成を成して両面印刷機能を有するインクジェット記録装置１の動作について説明する。図１２及び図１３は、このようなインクジェット記録装置１において、記録用紙Ｐの両面に画像形成すると共に、紙片５３を貼付する場合の動作を説明する模式図であり、各動作途中の態様を、図１２（ａ）〜（ｄ）及び図１３（ａ）〜（ｄ）にて順に示している。
【００６５】
図１２（ａ）に示すように、給紙トレイ５（図２参照）から搬送されてきた記録用紙Ｐは、第１ローラ対８１によって前方へ導かれ、ガイド８５にも誘導されて搬送ローラ対２９へと送られる。搬送ローラ対２９は、一方向へ回転することにより、この記録用紙Ｐを更に前方へ搬送し、排紙ローラ対３２と共に挟持した状態でプラテン１８上の画像形成領域３７に記録用紙Ｐを位置させる（同（ｂ）参照）。この状態で吐出ヘッド２０からインクを吐出することにより、記録用紙Ｐの一方の面に画像が形成される。
【００６６】
一方の面への画像形成が完了すると、搬送ローラ対２９及び排紙ローラ対３２を他方向へ回転させ、挟持されている記録用紙Ｐを後方へ搬送する。後方へ送られた記録用紙Ｐはガイド８５によって第２ローラ対８２へ導かれ、更にこの第２ローラ対８２によって入口から反転経路８４内へと導かれる（同（ｃ）参照）。反転経路８４を経た記録用紙Ｐは、第３ローラ対８３により前方へ搬送され（同（ｄ）参照）、更に搬送ローラ対２９によって吐出ヘッド２０に対向する画像形成領域３７へと再び導かれる。このとき、反転経路８４を経た記録用紙Ｐは表裏が反転されており、最初に画像形成された一方の面を下方に向けた状態（他方の面を上方に向けた状態）で画像形成領域３７に位置されている。
【００６７】
次に、図１３（ａ）に示すように、搬送ローラ対２９により紙送りしつつ、記録用紙Ｐの他方の面に必要な画像を形成し、更に、排紙ローラ対３２によっても紙送りしつつ、記録用紙Ｐの他方の面に画像を形成していく（同（ｂ）参照）。そして、記録用紙Ｐが、紙片５３を貼付すべき位置に到達すると、紙片貼付部５０を駆動して記録用紙Ｐの下面（一方の面）に１枚の紙片５３を貼付すると共に該紙片５３に対して吐出ヘッド２０からインクを吐出して画像を形成する（同（ｃ）参照）。そして、排紙ローラ対３２によって記録用紙Ｐを前方へ送りつつ、その他方の面における残りの領域に必要な画像を形成し（同（ｄ）参照）、全ての画像形成を完了すると、これを排紙トレイ６へ排出し、一連の処理を終了する。
【００６８】
インクジェット記録装置１を上記のように動作させることにより、両面印刷機能を有するインクジェット記録装置１においても、紙片５３を記録用紙Ｐの側端部に貼付することができ、且つ、この紙片５３に画像を形成することができる。そして、このインクジェット記録装置１においても、記録用紙Ｐに紙片５３を貼付してからこの紙片５３に画像を形成することでき、反対に、紙片５３に画像を形成した後にこれを記録用紙Ｐに貼付することも可能であり、何れの場合も、図１乃至図６に示したインクジェット記録装置１の場合と同様の作用効果を奏することができる。
【００６９】
なお、上述した説明では、吐出ヘッド２０とサブタンク４１とがインク供給チューブ４２を介して接続された状態で画像形成を行う所謂チューブ方式のプリンタ部２を例に説明したが、これに限られない。例えば、サブタンク４１（又はメインタンク９）と非連通状態において画像形成すると共に吐出ヘッド２０内のインクが所定値以下になったときに適宜サブタンク４１等と連通する所謂ステーション方式（オンデマンド方式ともいう）や、メインタンク９を吐出ヘッド２０の上部に搭載したオンキャリッジ方式のプリンタ部に上記構成を適用することもできる。
【産業上の利用可能性】
【００７０】
本発明は、大きな面積の原稿を読み取る際に、原稿台からはみ出る余剰部分を支持することによって、読み取り時における原稿の位置ずれを防止すると共に、装置自体の大型化を抑制することができる画像読取装置に適用することができる。
【図面の簡単な説明】
【００７１】
【図１】本発明の実施形態に係るインクジェット記録装置の外観構成を示す斜視図である。
【図２】図１に示したインクジェット記録装置が備えるプリンタ部の構成を示す模式的断面図である。
【図３】図２に示すプリンタ部の構成を模式的に示す斜視図である。
【図４】図３に示すプリンタ部の構成を示す平面図である。
【図５】インクジェット記録装置が備える紙片貼付部の構成及び動作原理を説明するための模式的斜視図である。
【図６】インクジェット記録装置の機能を説明するためのブロック図である。
【図７】インクジェット記録装置の動作を説明するためのフローチャートであり、記録用紙に貼付された状態の紙片に画像形成する場合の動作を示している。
【図８】紙片を記録用紙に貼付する際の紙片貼付部の動作を説明するための図面である。
【図９】紙片が貼付された記録用紙の束の一例を示す模式的斜視図である。
【図１０】インクジェット記録装置の他の動作を説明するためのフローチャートであり、記録用紙に貼付される前に、紙片に画像形成する場合の動作を示している。
【図１１】インクジェット記録装置として両面印刷機を採用した場合の構成を示す模式図である。
【図１２】図１１に示すインクジェット記録装置において、記録用紙の両面に画像形成すると共に紙片を貼付する場合の動作を説明する模式図であり、（ａ）〜（ｄ）はそれぞれ動作中の一態様を示している。
【図１３】図１１に示すインクジェット記録装置において、記録用紙の両面に画像形成すると共に紙片を貼付する場合の動作を説明する模式図であり、（ａ）〜（ｄ）はそれぞれ動作中の一態様を示している。
【符号の説明】
【００７２】
１  インクジェット記録装置
１８  プラテン
２０  吐出ヘッド
３７  画像形成領域
５０  貼付部
５１  紙片収容部
５２  紙片束
５３  紙片
５４  底上部（駆動部）
５４ａ  載置板
５４ｂ  弾性部材
５５  ロータ（摺接部）
５６  アクチュエータ
５７  挿通ロッド
５８  アクチュエータ
６０  制御部
６５  位置検出部
【図１】
2008246935.tif 000003
【図２】
2008246935.tif 000004
【図３】
2008246935.tif 000005
【図４】
2008246935.tif 000006
【図５】
2008246935.tif 000007
【図６】
2008246935.tif 000008
【図７】
2008246935.tif 000009
【図８】
2008246935.tif 000010
【図９】
2008246935.tif 000011
【図１０】
2008246935.tif 000012
【図１１】
2008246935.tif 000013
【図１２】
2008246935.tif 000014
【図１３】
2008246935.tif 000015